(57)【要約】【課題】バックレストの角度にかかわらず、最適な位置で肘をサポートでき、さらに、患者の着座、退出時に、アームレストが邪魔にならず、アームレストに設けたサポートアームに掴まって姿勢を保持できる椅子を提供する。【解決手段】椅子１は、コンターシート２、バックレスト３、および、アームレスト１００を備えており、アームレスト１００がバックレスト３に対して所定角度範囲内で回動自在に軸支されている。アームレスト１００の肘受部の反対側にサポートアーム４０が突出して設けられており、アームレスト１００がバックレスト３に対して略平行な位置に回動された際に、アームレスト３の回動を防止する回動ロック機構を有している。【選択図】図１
2018175210.tif 000002
【特許請求の範囲】
【請求項１】
コンターシート、バックレスト、および、アームレストを備えた椅子であって、
前記アームレストが前記椅子のバックレストに対して所定角度範囲内で回動自在に軸支され、
前記アームレストの肘受部の反対側にサポートアームが突出して設けられていることを特徴とする椅子。
【請求項２】
前記アームレストが前記バックレストに対して略平行な位置に回動された際に、前記アームレストの回動を防止する回動ロック機構を有することを特徴とする請求項１に記載の椅子。
【請求項３】
前記回動ロック機構は、前記アームレスト内で前記バックレストの方向に付勢された進退可能なロックピンと、前記バックレストに設けられ前記ロックピンと係合するロック受け座を有することを特徴とする請求項２に記載の椅子。
【請求項４】
前記ロックピンと前記ロック受け座との係合を解除する回動ロック解除機構を、前記バックレストに設けたことを特徴とする請求項３に記載の椅子。
【発明の詳細な説明】
【技術分野】
【０００１】
本発明は、椅子に関し、より詳しくは、サポートアーム付きアームレストを備えた椅子に関する。
【背景技術】
【０００２】
高齢者やハンディキャップのある患者は下肢筋力が低下していることが多く、歯科、眼科等の医療現場では、診療椅子への乗降途中などで姿勢を変える際に、まわりに身体を支えるものがないため、ふらついたり転倒したりする事故が増えている。
【０００３】
このため、例えば、特許文献１には、歯科用診療椅子への乗降時に体を安定して支えるために、治療椅子のいずれか一方の側方前部に回動可能な手摺部材を設け、患者が治療椅子に乗降する際に、この手摺部材を患者の近くに回動し、患者が治療椅子に座った後に自動的に患者から離れた位置に回動することができる手摺部材を備えた治療椅子が開示されている。
【先行技術文献】
【特許文献】
【０００４】
【特許文献１】特開２００４−７３４１８号公報
【発明の概要】
【発明が解決しようとする課題】
【０００５】
特許文献１に開示された治療椅子では、患者は手摺部材を持てば体を安定して支えることができるが、治療椅子とは別に手摺部材を支持するための支柱を設ける必要があるため、費用がかかり広い設置スペースが必要であった。
【０００６】
一方、歯科治療ユニットには、右側や両側のアームレストが無い機種もあり、退出時にアームレストに掴まって立ち上がることができない場合がある。さらに、アームレストの無い歯科治療ユニットでは、退出の際に患者が起き上がることが難しかったり、うがいの際に左肘に体重を掛けて姿勢を保持できなかったりするため、ハンディキャップのある患者はもちろん一般的に筋力の低下が見られる高齢の患者が、うがい姿勢を保つことや自力での退出が困難な場合がある。
【０００７】
このため、治療椅子にはアームレストを備えることが望ましいが、左右にアームレストを備える歯科用ユニットであっても、椅子シャーシ（コンターシート）に固定されたアームレストが可動しない場合、立位診療や半水平位診療、水平診療のようにバックレストの角度が変わることで、患者のアームレストとして最適な位置を維持できないだけでなく、退出時に患者の衣服にアームレスト先端が引っ掛かり、衣服が破れたり転倒することがあった。
【０００８】
本発明は、これらの実情に鑑みてなされたものであり、バックレストの角度にかかわらず、最適な位置で肘をサポートでき、さらに、患者の着座、退出時に、アームレストが邪魔にならず、アームレストに設けたサポートアームに掴まって姿勢を保持できる椅子を提供することをその目的とする。
【課題を解決するための手段】
【０００９】
上記課題を解決するために、請求項１の発明は、コンターシート、バックレスト、および、アームレストを備えた椅子であって、前記アームレストが前記椅子のバックレストに対して所定角度範囲内で回動自在に軸支され、前記アームレストの肘受部の反対側にサポートアームが突出して設けられていることを特徴とするものである。
【００１０】
請求項２の発明は、請求項１の発明において、前記アームレストが前記バックレストに対して略平行な位置に回動された際に、前記アームレストの回動を防止する回動ロック機構を有することを特徴とするものである。
【００１１】
請求項３の発明は、請求項２の発明において、前記回動ロック機構は、前記アームレスト内で前記バックレストの方向に付勢された進退可能なロックピンと、前記バックレストに設けられ前記ロックピンと係合するロック受け座を有することを特徴とするものである。
【００１２】
請求項４の発明は、請求項３の発明において、前記ロックピンと前記ロック受け座との係合を解除する回動ロック解除機構を、前記バックレストに設けたことを特徴とするものである。
【発明の効果】
【００１３】
本発明によれば、患者が椅子に着座・退出する際に、バックレストを起こした状態で、アームレストをバックレストに対して略平行な位置に回動させることによって、患者がアームレストに掴まって座ったり、立ち上がることができるため、高齢の患者やハンディキャップのある患者を安全に椅子に案内することができ、事故の発生を防ぐことができる。
【図面の簡単な説明】
【００１４】
【図１】本発明の一例に係る椅子の斜視図であり、サポートアーム付きアームレストを跳ね上げた際の図である。
【図２】図１に示す椅子の側面図である。
【図３】本発明の一例に係る椅子において、サポートアーム付きアームレストをコンターシートの着座面に対して平行となるようにした際の側面図である。
【図４】本発明の一例に係る椅子において、サポート付アームレストの回動ロック機構と回動ロック解除機構を説明するための図である。
【図５】本発明の一例に係る椅子において、ロック受け座と回動ロック解除機構の配置関係を示す図である。
【図６】図２に示す椅子のＸ−Ｘ断面を上方から見た図である。
【発明を実施するための形態】
【００１５】
以下、図面を参照しながら、本発明の椅子に係る好適な実施形態について説明する。以下の説明において、異なる図面においても同じ符号を付した構成は同様のものであるとして、その説明を省略する場合がある。なお、以下の説明では、歯科治療椅子を例に説明するが、本発明は、歯科治療椅子に限定されることはなく、他の用途の椅子にも適用が可能である。
【００１６】
図１は、本発明の一例に係る椅子の斜視図であり、サポートアーム付きアームレストを跳ね上げた際の図であり、図２はその側面図、図３は、本発明の一例に係る椅子において、サポートアーム付きアームレストをコンターシートの着座面に対して平行となるようにした際の側面図である。椅子１は、コンターシート２、バックレスト３、ヘッドレスト４、レッグレスト５、フットレスト６、基台７、サポートアーム付きアームレスト（以下、単に「アームレスト」ということがある。）１００、および、アームレスト２００を備えている。歯科治療用椅子の場合、歯科治療ユニットを構成する、図示しない、例えば、エアータービン、マイクロエンジン、超音波スケーラ、マルチシリンジ等が搭載されているワークテーブルや、スピットン、無影灯装置などが、椅子の周辺に設置される。
【００１７】
本実施形態では、サポートアーム付きアームレスト１００は、その基部１０１が回動軸１０２を介してバックレスト３に対して所定角度の範囲内で回動可能に設けられている。また、アームレスト２００もその基部２０１が回動軸２０２を介してバックレスト３に対して回動可能に設けられている。なお、サポートアーム付きアームレスト１００とアームレスト２００とは、椅子１の左右反対に設けられていてもよい。
【００１８】
また、サポートアーム付きアームレスト１００とアームレスト２００とは、初期状態において、コンターシート２の座面と略平行な水平位置を維持できるように構成されている。アームレスト２００の基部２０１は、アームレスト２００に回動自在に設けたリンク用支柱２０４を介してコンターシート２内に設けた図示しないリンク機構の一部に接続され、アームレスト２００の回動軸２０２も、バックレスト３に設けた図示しないリンク機構の一部に接続されている。そして、アームレスト２００は、バックレスト３を傾けた際にもこのリンク機構によってコンターシート２の座面と略平行な水平位置を保つように構成されている。
【００１９】
同様に、サポートアーム付きアームレスト１００も図示しない連動機構によってアームレスト２００に連動しており、バックレスト３を傾けた際に、水平位置を保つように構成されている。さらに、サポートアーム付きアームレスト１００は水平状態に維持された状態から、後述するように跳ね上げることが可能に構成されている。このように、アームレスト１００，２００は、バックレスト３を傾けた際に自動的に水平位置を維持するように構成されているため、患者は、バックレストの角度にかかわらず、最適な位置で肘をかけることができる。また、アームレスト１００、２００には、その基部１０１，２０１にそれぞれクッション性のある肘受部１０３、２０３が設けられている。
【００２０】
サポートアーム付きアームレスト１００の基部１０１には、患者が肘をかける肘受部１０３の反対側に突出するように、コの字状のサポートアーム４０がアームレスト１００の長手方向と平行になるように設けられている。図３に示すサポートアーム付きアームレスト１００のポジションでは、アームレスト１００が水平位置にあるためサポートアーム４０はアームレスト１００の下方に位置しており、サポートアーム４０は患者の診療の妨げとはならない。また、図１、図２に示す椅子１は、着座時または退出時の際のポジションを示しており、サポートアーム付きアームレスト１００は跳ね上げた状態となっている。この状態では、サポートアーム付きアームレスト１００はバックレスト３に対して回動不能にロックされることが望ましい。
【００２１】
なお、サポートアーム４０の外周には、衛生面を考慮して、滅菌可能な材料、例えばシリコン樹脂からなる割り筒部材を装着したり、抗菌材料からなるコーティングを施したりすることができる。また、サポートアーム４０の形状は、コの字状のものに限らず、π字状のものやＬ字状のものなど、患者が掴める部分を有し、アームレスト１００の基部１０１の肘受部１０３の反対側から突出して固着できるものであれば、他の形状のものであってもよく、単一あるいは複数の部材から構成されていてもよい。さらに、サポートアーム４０はアームレスト１００の基部１０１の側面に固着され、肘受部１０３の反対側で基部１０１から突出するように取り付けられていてもよい。
【００２２】
患者が椅子１に着座する際には、バックレスト３を起こすとともに、アームレスト１００を跳ね上げることで、アームレスト１００が着座の邪魔にならないようにする。これによって、患者は、サポートアーム４０を掴むことで安全に着座できる。アームレスト１００が回動軸１０２に対して回動するのを防止する回動ロック機構については後述する。
【００２３】
患者が椅子１に着座した後は、アームレスト１００の回動ロック機構を解除し、跳ね上げてあったアームレスト１００をコンターシート２の座面とほぼ平行になる水平位置、すなわち初期状態にまで戻す。アームレスト１００の回動ロック機構を解除するための構成については後述する。さらに、ヘッドレスト４を上下動させてヘッドレスト４を患者の頭部にフィットさせ、次いで、椅子１全体を上昇させ、あるいは、椅子１のバックレスト３を任意の位置に寝かせ、コンターシート２をチルトさせたりすることで、患者を診療しやすい位置に移動させる。
【００２４】
次に、アームレスト１００の回動ロック機構と回動ロック解除機構について説明する。図４は、本発明の一例に係る椅子において、サポートアーム付アームレストの回動ロック機構と回動ロック解除機構を説明するための図である。図４（Ａ）は、サポートアーム付きアームレスト１００がバックレスト３に対して回動不能にロックされた状態を示しており、図４（Ｂ）は、サポートアーム付きアームレスト１００のロックの解除動作を行った際の状態を示している。また、図５は、本発明の一例に係る椅子において、ロック受け座と回動ロック解除機構の配置関係を示す図であり、図６は、本発明の一例に係る椅子において、図２に示す椅子のＸ−Ｘ断面を上方から見た図である。
【００２５】
本実施形態では、サポートアーム付きアームレスト１００の回動ロック機構は、サポートアーム付きアームレスト１００の基部１０１に設けたロックピン１０と、バックレスト３に設けたロック受け座２０とから構成されている。図４（Ａ）に示すように、ロックピン１０は、軸部１１、先端部１２、および、軸部１１と先端部１２との間に設けた鍔部１３を有している。
【００２６】
アームレスト１００の基部１０１には、アームレスト１００の長手方向と直交する方向にバックレスト３側に開口する開口部１１０とこの開口部１１０に連通する摺動孔１１１が設けられている。ロックピン１０は、鍔部１３が開口部１１０内に位置し、ロックピン１０の先端部１２と反対側の一端が摺動孔１１１に位置するように開口部１１０内に配置される。開口部１１０の底部とロックピン１０の鍔部１３との間にはバネ部材１４が配設され、ロックピン１０を開口部１１０の開口側、すなわち、バックレスト３の方向に付勢している。
【００２７】
開口部１１０の開口側にはネジが切られており、ロックピン１０の先端部１２を挿通可能な孔を有するネジ部材１５によって閉じられている。このため、ロックピン１０は、アームレスト１００内でアームレスト１００の長手方向と交差する方向に進退可能に保持され、バネ部材１４によって先端部１２が基部１０１から突出する方向に、適度な力で常時付勢されている。ロックピン１０の先端部１２は、鍔部１３がネジ部材１５に当接するまで、バックレスト３側に突出可能となっている。
【００２８】
アームレスト１００の回動軸１０２はバックレスト３内に設けた軸受部１２０によって回動可能に軸支されている。回動軸１０２は、バックレスト３の側面のフレーム３００に設けた貫通孔３０２から突出しており、回動軸１０２の先端にアームレスト１００の基部１０１が固着されている。バックレスト３のフレーム３００には、アームレスト１００の回動軸１０２と同心軸上に、回動軸１０２を挿通可能な貫通孔２１を有する円盤状のロック受け座２０が設けられている。また、ロック受け座２０には、アームレスト１００をバックレスト３と略平行な位置に回動された際に、ロックピン１０の先端部１２と係合する係合孔２２が設けられている。
【００２９】
アームレスト１００が、図３に示す水平位置にあるときは、図６に示すようにロックピン１０はバネ部材１４によってロック受け座２０側に付勢されるが、ロックピン１０の先端部１２はロック受け座２０の側面Ｓに当接した状態に維持される。そして、アームレスト１００を跳ね上げてバックレスト３と略平行な位置にまで回動すると、ロックピン１０はロック受け座２０の側面Ｓを摺動しつつ、ロック受け座２０の係合孔２２に係合する。回動軸１０２を中心に回動可能であったアームレスト１００は、ロックピン１０の先端部１２とロック受け座２０の係合孔２２との係合によって、回動が阻止される。なお、ロックピン１０の先端部１２は、ロック受け座２０の係合孔２２とスムーズに係合するように先端が丸く形成されている。
【００３０】
アームレスト１００を跳ね上げた状態から水平状態に戻すためには、ロックピン１０の先端部１２とロック受け座２０の係合孔２２との係合を解除する必要がある。このため、本実施形態では、図４、図５で示すように、ロック解除ボタン３１、操作ロッド３２、リンク部材３５、ロック解除ピン３８を含む回動ロック解除機構を備えている。ロック解除ボタン３１は、バックレスト３の上部のフレーム３００に形成された凹状の収納部３０１に収納され、収納部３０１の底部に設けた貫通孔を貫通した操作ロッド３２の一方の端部がロック解除ボタン３１に固着されている。ロック解除ボタン３１と操作ロッド３２との固着には、ネジなどの周知の手段を用いることができる。
【００３１】
ロック解除ボタン３１と収納部３０１の底面との間には、操作ロッド３２の周囲にバネ部材３４が配設されており、バネ部材３４はロック解除ボタン３１を上方に向けて付勢している。一方、操作ロッド３２の中間部に鍔部３３が設けられており、この鍔部３３が収納部３０１のフレーム３００に当接することによって、ロック解除ボタン３１と操作ロッド３２が収納部３０１から離脱するのを防止している。
【００３２】
操作ロッド３２の他方の端部は、Ｌ字状のリンク部材３５の一方の辺に当接している。リンク部材３５は軸部材３６を中心に回動可能に設けられており、リンク部材３５の他方の辺の先端部には、図５で示すように割り溝が設けられており、この割り溝内で、ロック解除ピン３８の一端がピン３７によって軸支されている。フレーム３００の側面には、ロック受け座２０の係合孔２２と対向する位置に貫通孔３０３が設けられており、ロック解除ピン３８の他端が貫通孔３０３内に位置するように配置されている。なお、ピン３７を挿通するための割り溝に設けた孔は、ロック解除ピン３８をスムーズに動かすために長孔にしておくことが好ましい。
【００３３】
アームレスト１００を跳ね上げてロックされた状態（図２で示す状態）から水平状態（図３に示す状態）に戻すためには、ロック解除ボタン３１を押しながらアームレスト１００を水平位置に向けて回動させることによって可能になる。ロック解除ボタン３１をバネ部材３４の付勢力に抗して押すと、図４（Ｂ）に示すように、操作ロッド３２が押し下げられ、リンク部材３５が軸部材３６を中心に時計回り方向に回転する。これにより、ロック解除ピン３８は、アームレスト１００側、すなわち、ロック受け座２０の係合孔２２側に押し出される。そして、係合孔２２内に位置するロックピン１０がバネ部材１４の付勢力に抗して係合孔２２から離脱する。この状態で、アームレスト１００を水平位置に向けて回動させることが可能になる。
【００３４】
上記の実施形態では、右側のアームレスト１００にサポートアーム４０を設ける構成としたが、左側のアームレスト２００にサポートアーム４０を設けてもよい。また、アームレスト１００のロック機構として、患者がアームレスト１００を把持して着座または退出する際にロックピン１０に作用する力を少なくするために、ロックピン１０とロック受け座２０をアームレスト１００の回動軸１０２から遠い離れた位置に設けてもよい。
【符号の説明】
【００３５】
１…椅子、２…コンターシート、３…バックレスト、４…ヘッドレスト、５…レッグレスト、６…フットレスト、７…基台、１０…ロックピン、１１…軸部、１２…先端部、１３…鍔部、１４…バネ部材、１５…ネジ部材、２０…ロック受け座、２１…貫通孔、２２…係合孔、３０…ロックピン、３１…ロック解除ボタン、３２…操作ロッド、３３…鍔部、３４…バネ部材、３５…リンク部材、３６…軸部材、３７…ピン、３８…ロック解除ピン、４０…サポートアーム、１００…サポートアーム付きアームレスト、１０１…基部、１０２…回動軸、１０３…肘受部、１１０…開口部、１１１…摺動孔、１２０…軸受部、２００…アームレスト、２０１…基部、２０２…回動軸、２０３…肘受部、２０４…リンク用支柱、３００…フレーム、３０１…収納部、３０２…貫通孔、３０３…貫通孔。
【図１】
2018175210.tif 000003
【図２】
2018175210.tif 000004
【図３】
2018175210.tif 000005
【図４】
2018175210.tif 000006
【図５】
2018175210.tif 000007
【図６】
2018175210.tif 000008